(57)【要約】【課題】ノートパソコンの移動時間を少なくし、机上のスペースも最小限にとどめ、環境空間をも減少させないようなノートパソコン台を提供しようとするものである。【解決手段】上記課題を解決するために、本発明におけるノートパソコン台は台から伸びる平行した２本の脚に計６ヶ所の関節を設けその先に机上先端に固定できる台を有したものである。収納時には机上先端の本及びファイル等の上に位置し、使用時は座ったまま片手で任意の位置に設置することができ多少の書類が机上にあってもそのまま入力作業ができる机上移動ノートパソコン台。【選択図】図１
2004145833.tif 000002
【特許請求の範囲】
【請求項１】
ノートパソコンを乗せる台を支持する平行した２本の前脚が伸び、台と前脚の結合部は角度調節できる関節を有し、前脚から中脚、中脚から後脚と連結され連結部は前後上下動作可能な関節を有し、後脚先端には机上奥に設置する固定台を有することを特徴とするノートパソコン台。
【請求項２】
前記前脚関節及び後脚関節の各関節には回転軸板と押しバネとストッパーを有し、ストッパーと台の両端に設置されたスイッチはワイヤーで連結され、スイッチの引き動作によりストッパーが回転軸板を固定・解除動作をおこなうことで任意の位置で台を固定することが可能なことを特徴とする請求項１記載のノートパソコン台。
【請求項３】
前記スイッチから伸びるワイヤーの中継装置を台下部に有し、左右各々のワイヤーにコ字形の引き部材と１個のＩ形の主軸が配置され、左右スイッチどちらかの引き動作により連動したどちらか片方のコ字形引き部材がＩ形の主軸をけん引することにより全てのストッパーと連動することを特徴とする請求項１記載または２記載のノートパソコン台。
【請求項４】
請求項１記載の前脚及び後脚は引きバネを有し、後脚引きバネ下部には調節器が配置され、調節器の配置を移動させることによりバネの伸縮を促し、パソコンの重量に合わせスムーズな前後上下運動をすることを特徴とする請求項１記載のノートパソコン台。
【発明の詳細な説明】
【０００１】
【発明の属する技術分野】
本発明は、ノートパソコンの使用管理において設置移動収納を簡潔にし、環境空間を減少させないようにするために机上４０ｃｍ程度の空間を利用し、ノートパソコンを移動させることのできるノートパソコン台に関するものである。
【０００２】
【従来の技術】
従来のパソコン台は、一体型・デスクトップ型が主流であったためノートパソコン型の専用台は少なく、ノートパソコン使用時毎に机上にスペースを作り、立ち上がっての移動を余儀なくされ余分な時間や労力を要していた。また、サイドチェストのような台もスペースを必要とし環境空間を狭くしていた。
【０００３】
【発明が解決しようとする課題】
したがって、ノートパソコンの移動時間を少なくし、机上のスペースも最小限にとどめ、環境空間をも減少させないようなノートパソコン台を提供しようとするものである。
【０００４】
【課題を解決する為の手段】
本発明は、上述の課題を解決するために、以下のように構成するものである。ノートパソコンを乗せる台を支持する平行した２本の前脚が伸び、台と前脚の結合部は角度調節できる関節を有し、前脚から中脚、中脚から後脚と連結され連結部は前後上下動作可能な関節を有し、後脚先端には机上奥に設置する固定台を有することを特徴とするものである。
【０００５】
前記前脚関節及び後脚関節の各関節には回転軸板と押しバネとストッパーを有し、台の両端に設置されたスイッチとストッパーはワイヤーで接続され、スイッチの引き動作によりストッパーが回転軸板を固定・解除動作をおこなうことで任意の位置で台を固定することが可能にする。
【０００６】
前記スイッチから伸びるワイヤーの中継装置を台下部に有し、左右各々のワイヤーにコ字形の引き部材と１個のＩ形の主軸が配置され、左右スイッチどちらかの引き動作により連動したどちらか片方のコ字形引き部材がＩ形の主軸をけん引することにより全てのストッパーと連動するようにする。
【０００７】
前脚及び後脚は引きバネを有し、後脚引きバネ下部には調節器が配置され、調節器の配置を移動させることによりバネの伸縮を促し、パソコンの重量に合わせスムーズな前後上下運動を可能にする。
【０００８】
【発明の実施の形態】
本発明の実施の形態を図面を参照して説明する。まず本発明は左右対称なので左をａ、右をｂとする。図１及び図４は収納時の形態図であり、机上に並べて置くことのある本及びファイル等の上部に台１が位置する。図２及び図４は使用時の形態図であり９ａｂを引くことにより片手で任意の位置まで動かし固定することができ机上に多少の書類等があっても台座１２ａｂ（硬質フェルト）によりそのまま使用可能である。
【０００９】
図５においてノートパソコン台１の裏側両端手前から台座１２ａｂ、スイッチボックス１５ａｂ、スイッチ９ａｂ、ワイヤー管１４ａｂ、中継装置１３からなり、図６〜図８はスイッチ９ａｂの図でありどちらかを引くことにより引いた方のワイヤー管１４ａｂの中のワイヤー１６ａｂが連動し図９〜図１０中継装置１３内の引き金具１７ａｂが引かれ主軸１８が同様に動作することにより先端からでているワイヤー１９ａｂから台１の上部へ移行する。
【００１０】
前記のワイヤーから連絡した動作が、図１２〜図１３のストッパー８ａｂを引っぱり固定が解除される。引き動作が無くなると押しバネ２０ａｂにより元に戻り固定される。また前脚２ａｂ下端にはストッパー８ａｂ掛かるための２６ａｂと同様の加工が施されている。前脚関節５ａｂと前脚滑車２３ａｂをワイヤーで接続、前脚滑車２３ａｂと前脚引きバネ２２ａｂをワイヤーで接続し、台１と前脚２ａｂが動作することにより前脚滑車が回転し前脚引きバネ２２ａｂが伸縮することによりノートパソコンが載置された台１はスムーズな動作をする。
【００１１】
図１４〜図１７は中脚３ａｂから後脚４ａｂの図であり、ワイヤー管１４ａｂから後脚押しバネ２４ａｂ、ストッパー２５ａｂ、後脚回転軸板２６ａｂ、後脚引きバネ２９ａｂから形成され、ストッパーの角度配置及び調節器１１ａｂ以外は前脚関節と同様の動作を有する。なお、回転軸板２６ａｂの詳細は図１５のとおりであり溝を利用したものである。調節器１１ａｂは移動させることにより引きバネ２９ａｂの伸縮を促し、ノートパソコンの重量に合わせることができる。また本発明の材質の大部分はアクリル樹脂板を加工したものであるが、軽量・安定化等を図るものであるならば種類は問わないし形状も四角柱でなくてもよい。
【００１２】
【発明の効果】
本発明の机上移動ノートパソコン台は、ノート型パソコンが主流になりつつある現代には必要不可欠であり、作業時間短縮及び高能率化や作業環境を考慮し幅広く活用でき、制作コストも安価である。
【００１３】
本発明の机上移動ノートパソコン台は、幅や高さを変えるだけでデスクトップ型のキーボード台にも使用可能である。
【図面の簡単な説明】
【図１】本発明の全景斜視図（収納時）
【図２】本発明の全景斜視図（使用時）
【図３】本発明の側面図（収納時）
【図４】本発明の側面図（使用時）
【図５】本発明の台の裏側を示した平面図
【図６】本発明のスイッチ部分を示した断面図
【図７】本発明のスイッチ部分を示した側面図
【図８】本発明のスイッチ部詳細を示した斜視図
【図９】本発明の中継装置の詳細を示した平面図
【図１０】本発明の中継装置の詳細を示した斜視図
【図１１】本発明の全景の平面図
【図１２】本発明の台背面ストッパー詳細の断面図
【図１３】本発明の台〜前脚の断面図
【図１４】本発明の中脚〜後脚の右側断面図
【図１５】本発明の回転軸板詳細図
【図１６】本発明の中脚〜後脚の前側断面図
【図１７】本発明の中脚〜後脚の後側断面図
【図１８】本発明の収納時のイメージ図
【図１９】本発明の使用時のイメージ図
【符号の説明】
（図面符号のａは左、ｂは右を示す）
１は　台
２は　前脚
３は　中脚
４は　後脚
５は　前関節
６は　中関節
７は　後関節
８は　台ストッパー
９は　スイッチ
１０は固定台
１１は調節器
１２は台座
１３は中継装置
１４はワイヤー管
１５はスイッチボックス
１６はワイヤー
１７は引き金具
１８は主軸
１９はワイヤー
２０は押しバネ
２１はワイヤー
２２は引きバネ
２３は滑車
２４は押しバネ
２５はストッパー
２６は回転軸板
２７はワイヤー
２８は滑車
２９は引きバネ
【図１】
2004145833.tif 000003
【図２】
2004145833.tif 000004
【図３】
2004145833.tif 000005
【図４】
2004145833.tif 000006
【図５】
2004145833.tif 000007
【図６】
2004145833.tif 000008
【図７】
2004145833.tif 000009
【図８】
2004145833.tif 000010
【図９】
2004145833.tif 000011
【図１０】
2004145833.tif 000012
【図１１】
2004145833.tif 000013
【図１２】
2004145833.tif 000014
【図１３】
2004145833.tif 000015
【図１４】
2004145833.tif 000016
【図１５】
2004145833.tif 000017
【図１６】
2004145833.tif 000018
【図１７】
2004145833.tif 000019
【図１８】
2004145833.tif 000020
【図１９】
2004145833.tif 000021